(57)【要約】　　　（修正有）【課題】洗剤供給式モップの提供。【解決手段】柄３０、洗剤制御装置４０、缶体５０、結合ベース６０及び擦拭具７０で組成され、該洗剤制御装置が回転リングスリーブ４１を介して連動リング４２、牽引ロッド４３及びバルブロッド４６を順に駆動し、該バルブロッドを前に移動させてバルブカバー４４より離脱させ、缶体内部の洗剤液をロッドよりバルブカバー、バルブロッド等関係部品を経由して擦拭具中に流入させ、擦拭具による掃除機能に供する。且つ回転リングスリーブが柄のグリップ近くに取り付けられ、缶体とロッドを一体に被覆する設計により、缶体組み付けの安定性、美観性及び洗剤調節操作の便利性が高められている。【選択図】　　　　図５
0003097652.tif 000002
【実用新案登録請求の範囲】
【請求項１】
柄、柄の前端部に取り付けられた擦拭具及び柄の擦拭具近くに取り付けられた缶体を具え、缶体内の洗剤液を擦拭具に送り、掃除に供する洗剤供給式モップにおいて、
上記柄の前端の擦拭具近くに缶体内部の洗剤液と連通する洗剤流出孔が穿たれ、並びに柄のロッドに回転リングスリーブ、連動リング、牽引ロッド、バルブカバー、バネ及びバルブロッドで組成された洗剤制御装置が設けられ、該回転リングスリーブが可動式にロッドのグリップ近くに套設され、該連動リングがロッドに套設されて前後に限位スライド可能とされると共に回転リングスリーブの前端部と螺合され、該牽引ロッドがロッド内部に収容されて連動リングと一体に連動し、且つ前端がバルブカバーに挿入され、該バルブカバーがロッド内壁を封じるように固定され、並びにバルブカバーの外壁にロッドの洗剤流出孔に連通する貫通孔が穿たれ、該バルブカバーの一端に収容溝が開設されて、該収容溝が前記バネとバルブロッドを収容し、該バルブロッドが該牽引ロッドの前端部分に套設されると共に牽引ロッド前端部に係止位置決めされ、後端がバネの回復力により押圧され、
洗剤供給式モップが洗剤液を非送出の時、洗剤制御装置のバルブロッドが完全にバルブカバーの収容溝と相互に密封し、これにより缶体内部の洗剤液がロッドの洗剤流出孔よりバルブカバーの貫通孔を通りバルブロッドの環状凹溝とバルブカバーの間に形成された洗剤収容室中に蓄積され、洗剤制御装置の回転リングスリーブが回転操作される時、順に連動リング及び牽引ロッド前端が駆動されて前向きに移動し、牽引ロッド前端に牽制されたバルブロッドに牽制力を失わせると共に、後端のバネの回復力によりバルブロッドが前に移動してバルブカバー内壁より離脱し、洗剤収容室中に蓄積された洗剤液をバルブカバー前端より釈放して擦拭具中に流入させ、掃除に供すると共に、操作の便利性を増したことを特徴とする、洗剤供給式モップ。
【請求項２】
請求項１記載の洗剤供給式モップにおいて、前記缶体内部に洗剤液を収容する収容空間が形成され、並びに上端部にシールキャップが螺設された注入孔とナットが螺設された貫通孔が形成され、底端部より接合管が延伸され、且つこの貫通孔が柄の貫通に供され、並びにナットで柄が固定され、ロッドの洗剤流出孔が缶体の収容空間中に位置することを特徴とする、洗剤供給式モップ。
【請求項３】
請求項１又は請求項２記載の洗剤供給式モップにおいて、前記柄の底端と擦拭具の間に結合ベースが組み合わされ、該結合ベースの上端にロッドの挿入に供される挿入溝が穿たれ、挿入溝の溝口部分に缶体の接合管を螺子止めする締めネジが設けられ、結合ベースの底端部の中央部に柄の底端部の開口と連通する流通孔が設けられ、洗剤液がこの流通孔を通り擦拭具に流入することを特徴とする、洗剤供給式モップ。
【請求項４】
請求項１又は請求項３記載の洗剤供給式モップにおいて、前記擦拭具が擦拭具本体とコネクタヘッドを具え、且つ擦拭具本体の中央部に擦拭具本体を貫通するリーク孔が設けられ、該コネクタヘッドの一端が擦拭具本体に枢設され、別端が結合ベース底端部に枢設され、コネクタヘッドの内部に導流孔が形成されて擦拭具本体のリーク孔と結合ベースの流通孔に連通し、洗剤液が結合ベースの流通孔よりコネクタヘッドの導流孔を通り擦拭具本体のリーク孔に流入することを特徴とする、洗剤供給式モップ。
【請求項５】
請求項１記載の洗剤供給式モップにおいて、前記ロッドのグリップ近くの前側に、回転リングスリーブを可動式に套設するのに供される位置決め環状溝が設けられたことを特徴とする、洗剤供給式モップ。
【請求項６】
請求項１記載の洗剤供給式モップにおいて、前記柄のグリップ近くの前側に設けられた位置決め環状溝の前側に横向きの限位溝が設けられ、位置決めピンが連動リングと限位溝を貫通し、連動リングを限位溝中で前後に限位スライド可能に位置決めすることを特徴とする、洗剤供給式モップ。
【請求項７】
請求項１記載の洗剤供給式モップにおいて、前記ロッドの擦拭具に近い部分に偏心のバルブカバー固定孔が設けられ、ロッドのバルブカバー固定孔に結合ピンが組み合わされてバルブカバーとロッドが一体に連結されたことを特徴とする、洗剤供給式モップ。
【請求項８】
請求項１記載の洗剤供給式モップにおいて、前記ロッドと牽引ロッドが伸縮式套設構造とされたことを特徴とする、洗剤供給式モップ。
【請求項９】
請求項１又は請求項８記載の洗剤供給式モップにおいて、前記牽引ロッドが２段式の伸縮式套設構造とされ、それは第１と第２の牽引ロッドを具え、且つ第１の牽引ロッドの上端に矢頭状の後頭部が設けられて連動リングの位置決めピンにより固定された連接スリーブに挿嵌連結され、別に第２の牽引ロッドに双矢頭状の後頭部が設けられて連接体の底端孔に挿嵌結合され、該連接体がロッド末端内部に固定されたスリーブ内を移動可能とされ、別端に套設されたロッド内部に下向きに凹んだ貫通孔を具えたスリーブが固定され、第２の牽引ロッドが挿入され、洗剤制御装置が牽引駆動を達成できるものとされたことを特徴とする、洗剤供給式モップ。
【考案の詳細な説明】
【０００１】
【考案の属する技術分野】
本考案は一種の洗剤供給式モップに係り、特に、ロッドに洗剤液を入れた缶体が取り付けられ、洗剤制御装置により缶体中の洗剤液が擦拭具に送られ、擦拭具による掃除に供される、洗剤供給式モップに関する。
【０００２】
【従来の技術】
よく目にされるモップ型掃除用具の形態は多く、吸水性、擦拭性、或いは両者を混合したものに大きく分けられる。図１は周知のモップの構造であり、このモップ１０は、柄１１の底端に、両側にクランプロッド１２１を具えたベース１２が套設され、柄１１の適当な部分に、レバー１３１、プルロッド１３２及び枢接アーム１３３を具えた牽引装置１３が枢接され、牽引装置１３のプルロッド１３２の底端がベース１２を貫通した後、さらに吸水スポンジ１４に固定されてなる。操作時には、直接モップ１０の柄１１を握持し、さらに前端の吸水スポンジ１４により床の上の汚れと水分を併せて擦拭し吸い取り、並びに牽引装置１３のレバー１３１を回してプルロッド１３２を駆動して上向きに吸水スポンジ１４を上に引き上げ、吸水スポンジ１４をクランプロッド１２１で挟み付け、水分を押し出す目的を達成する。しかし、モップ１０は擦拭と吸水の機能を具備するが、ひどく汚れた床に対しては、洗剤を使用しなければきれいにする効果を達成しにくい。
【０００３】
また、図２、３は洗剤を具えたモップであり、このモップ２０は、柄２１、クランプロッド２２１を具えたベース２２、枢接アーム２３１、レバー２３２及びプルロッド２３３を具えた牽引装置２３、及びプルロッド２３３の底端に固定された吸水スポンジ２４を具えている。そのうち、該モップ２０は、ベース２２に収容溝２２２が形成され、並びに収容溝２２２に洗剤を入れた缶体２５が収容され、該缶体２５の底端の適当な部分に、操作部を具えた制御バルブ２６が連接され、該制御バルブ２６がベース２２に形成された位置決めリング２２３に固定され、位置決めリング２２３の端縁に別に貫通するリーク孔２２４が設けられて吸水スポンジ２４の上端に設置された流入口２４１に連通し、床を掃除する時、制御バルブ２６を制御することにより、缶体２５内の洗剤液を制御バルブ２６よりベース２２の位置決めリング２２３部分のリーク孔２２４を通して吸水スポンジ２４内部に流入させ、これにより床の擦拭と除垢の便利性を達成する。しかし、使用上、尚も以下のような欠点を有している。
１．洗剤液の開閉と流量を制御するバルブは、柄の下方のベースに位置し、これにより、調整操作時に、モップを持ち上げるか、腰をかがめて調整しなければならず、操作に不便であり、使いやすい設計でない。
２．洗剤液を容れた缶体は、外接式の嵌め止め位置決め設計とされ、外観が悪く、缶体が外部より衝突を受けるとき、嵌め止め構造が損壊しやすく、その取り付けの強固性に影響が生じたり、洗剤液が洩れ出す恐れがある。
【０００４】
【考案が解決しようとする課題】
本考案は上述の従来のモップの構造の欠点を鑑み、それを解決した一種の洗剤供給式モップを提供することを課題とする。それは、柄、洗剤制御装置、缶体、結合ベース及び擦拭具で組成され、該洗剤制御装置が回転リングスリーブを介して連動リング、牽引ロッド及びバルブロッドを順に駆動し、該バルブロッドを前に移動させてバルブカバーより離脱させ、缶体内部の洗剤液をロッドよりバルブカバー、バルブロッド等関係部品を経由して擦拭具中に流入させ、擦拭具による掃除機能に供する。且つ回転リングスリーブが柄のグリップ近くに取り付けられ、缶体とロッドを一体に被覆する設計により、缶体組み付けの安定性、美観性及び洗剤調節操作の便利性を高めたものとする。
【０００５】
【課題を解決するための手段】
請求項１の考案は、柄、柄の前端部に取り付けられた擦拭具及び柄の擦拭具近くに取り付けられた缶体を具え、缶体内の洗剤液を擦拭具に送り、掃除に供する洗剤供給式モップにおいて、
上記柄の前端の擦拭具近くに缶体内部の洗剤液と連通する洗剤流出孔が穿たれ、並びに柄のロッドに回転リングスリーブ、連動リング、牽引ロッド、バルブカバー、バネ及びバルブロッドで組成された洗剤制御装置が設けられ、該回転リングスリーブが可動式にロッドのグリップ近くに套設され、該連動リングがロッドに套設されて前後に限位スライド可能とされると共に回転リングスリーブの前端部と螺合され、該牽引ロッドがロッド内部に収容されて連動リングと一体に連動し、且つ前端がバルブカバーに挿入され、該バルブカバーがロッド内壁を封じるように固定され、並びにバルブカバーの外壁にロッドの洗剤流出孔に連通する貫通孔が穿たれ、該バルブカバーの一端に収容溝が開設されて、該収容溝が前記バネとバルブロッドを収容し、該バルブロッドが該牽引ロッドの前端部分に套設されると共に牽引ロッド前端部に係止位置決めされ、後端がバネの回復力により押圧され、
洗剤供給式モップが洗剤液を非送出の時、洗剤制御装置のバルブロッドが完全にバルブカバーの収容溝と相互に密封し、これにより缶体内部の洗剤液がロッドの洗剤流出孔よりバルブカバーの貫通孔を通りバルブロッドの環状凹溝とバルブカバーの間に形成された洗剤収容室中に蓄積され、洗剤制御装置の回転リングスリーブが回転操作される時、順に連動リング及び牽引ロッド前端が駆動されて前向きに移動し、牽引ロッド前端に牽制されたバルブロッドに牽制力を失わせると共に、後端のバネの回復力によりバルブロッドが前に移動してバルブカバー内壁より離脱し、洗剤収容室中に蓄積された洗剤液をバルブカバー前端より釈放して擦拭具中に流入させ、掃除に供すると共に、操作の便利性を増したことを特徴とする、洗剤供給式モップとしている。
請求項２の考案は、請求項１記載の洗剤供給式モップにおいて、前記缶体内部に洗剤液を収容する収容空間が形成され、並びに上端部にシールキャップが螺設された注入孔とナットが螺設された貫通孔が形成され、底端部より接合管が延伸され、且つこの貫通孔が柄の貫通に供され、並びにナットで柄が固定され、ロッドの洗剤流出孔が缶体の収容空間中に位置することを特徴とする、洗剤供給式モップとしている。
請求項３の考案は、請求項１又は請求項２記載の洗剤供給式モップにおいて、前記柄の底端と擦拭具の間に結合ベースが組み合わされ、該結合ベースの上端にロッドの挿入に供される挿入溝が穿たれ、挿入溝の溝口部分に缶体の接合管を螺子止めする締めネジが設けられ、結合ベースの底端部の中央部に柄の底端部の開口と連通する流通孔が設けられ、洗剤液がこの流通孔を通り擦拭具に流入することを特徴とする、洗剤供給式モップとしている。
請求項４の考案は、請求項１又は請求項３記載の洗剤供給式モップにおいて、前記擦拭具が擦拭具本体とコネクタヘッドを具え、且つ擦拭具本体の中央部に擦拭具本体を貫通するリーク孔が設けられ、該コネクタヘッドの一端が擦拭具本体に枢設され、別端が結合ベース底端部に枢設され、コネクタヘッドの内部に導流孔が形成されて擦拭具本体のリーク孔と結合ベースの流通孔に連通し、洗剤液が結合ベースの流通孔よりコネクタヘッドの導流孔を通り擦拭具本体のリーク孔に流入することを特徴とする、洗剤供給式モップとしている。
請求項５の考案は、請求項１記載の洗剤供給式モップにおいて、前記ロッドのグリップ近くの前側に、回転リングスリーブを可動式に套設するのに供される位置決め環状溝が設けられたことを特徴とする、洗剤供給式モップとしている。
請求項６の考案は、請求項１記載の洗剤供給式モップにおいて、前記柄のグリップ近くの前側に設けられた位置決め環状溝の前側に横向きの限位溝が設けられ、位置決めピンが連動リングと限位溝を貫通し、連動リングを限位溝中で前後に限位スライド可能に位置決めすることを特徴とする、洗剤供給式モップとしている。
請求項７の考案は、請求項１記載の洗剤供給式モップにおいて、前記ロッドの擦拭具に近い部分に偏心のバルブカバー固定孔が設けられ、ロッドのバルブカバー固定孔に結合ピンが組み合わされてバルブカバーとロッドが一体に連結されたことを特徴とする、洗剤供給式モップとしている。
請求項８の考案は、請求項１記載の洗剤供給式モップにおいて、前記ロッドと牽引ロッドが伸縮式套設構造とされたことを特徴とする、洗剤供給式モップとしている。
請求項９の考案は、請求項１又は請求項８記載の洗剤供給式モップにおいて、前記牽引ロッドが２段式の伸縮式套設構造とされ、それは第１と第２の牽引ロッドを具え、且つ第１の牽引ロッドの上端に矢頭状の後頭部が設けられて連動リングの位置決めピンにより固定された連接スリーブに挿嵌連結され、別に第２の牽引ロッドに双矢頭状の後頭部が設けられて連接体の底端孔に挿嵌結合され、該連接体がロッド末端内部に固定されたスリーブ内を移動可能とされ、別端に套設されたロッド内部に下向きに凹んだ貫通孔を具えたスリーブが固定され、第２の牽引ロッドが挿入され、洗剤制御装置が牽引駆動を達成できるものとされたことを特徴とする、洗剤供給式モップとしている。
【０００６】
【考案の実施の形態】
本考案の洗剤供給式モップは、柄３０、洗剤制御装置４０、缶体５０、結合ベース６０及び擦拭具７０で組成されている（図５、６も参照されたい。）。
該柄３０は、ロッド３１と該ロッド３１の末端に套設されたグリップ３２を具えている。該ロッド３１のグリップ３２に近い前側に位置決め環状溝３１１と横向きの限位溝３１２が設けられ、ロッド３１の缶体５０が套設される部分にＯリング固定溝３１３が設けられ、前端の擦拭具７０に近い部分に、前向きに偏心のバルブカバー固定孔３１４、洗剤流出孔３１５、及びベース固定孔３１６が設けられている。
【０００７】
洗剤制御装置４０は、回転リングスリーブ４１、連動リング４２、牽引ロッド４３、バルブカバー４４、バネ４５、及びバルブロッド４６を具えている。そのうち、該回転リングスリーブ４１は可動式にロッド３１の位置決め環状溝３１１中に嵌め込まれ、前端が連動リング４２と螺合される。該連動リング４２はロッド３１の限位溝３１２に挿入された位置決めピン４２１により前後に限位移動可能とされる。該牽引ロッド４３はロッド３１の内部に収容され、且つ両端に前頭部４３１と後頭部４３２が形成され、後頭部４２３が連接スリーブ４７に挿入され且つ連動リング４２の位置決めピン４２１が連接スリーブ４７を貫通し固定している。該バルブカバー４４は牽引ロッド４３に套設され、並びにロッド３１のバルブカバー固定孔３１４を貫通する位置決めピン４４１の貫通により固定され、バルブカバー４４の外周の二つの適当な部分にそれぞれＯリング４４２が套設されてＯリング４４２がロッド３１の内壁と密着して密封し、二つのＯリング４４２の間にロッド３１の洗剤流出孔３１５に対応する貫通孔４４３が開設され、別にバルブカバー４４の一端にバネ４５とバルブロッド４６を収容する収容溝４４４が設けられている。該バネ４５はバルブカバー４４の収容溝４４４中に収容される。該バルブロッド４６は牽引ロッド４３の前端部分に套設されると共にバルブカバー４４の収容溝４４４中に収容され、且つ前端が牽引ロッド４３の前頭部４３１により係止され位置決めされ、後端がバネ４５の回復力により押圧され、別にバルブロッド４６の外周の二つの適当な部分にそれぞれＯリング４６１が套設されて、バルブカバー４４の内壁に密着して密封する（図７〜図１０参照）。
【０００８】
缶体５０はその内部に洗剤液を容れる収容空間５１が形成され、並びに上端部にシールキャップ５２が螺設された注入孔５３とナット５４が螺設された貫通孔５５が形成され、底端部より接合管５６が延伸されている。該貫通孔５５は柄３０のロッド３１を貫通させて収容し、並びにナット５４の螺合により固定し、且つロッド３１の洗剤流出孔３１５が缶体５０の収容空間５１中に位置する。
【０００９】
結合ベース６０は、その上端にロッド３１への套設に供される挿入溝６１が設けられ、並びに挿入溝６１の溝口部分に締めネジ６２が嵌め込まれ、缶体５０の接合管５６と結合ベース６０の螺子止めに供され、また、結合ベース６０の外壁の挿入溝６１に対応する部分に結合ピン６３が挿入され、ロッド３１の端部がこれにより結合ベース６０に固定され、また結合ベース６０の底端に枢接ヘッド６４が形成され、且つ枢接ヘッド６４の中央部に流通孔６４１が設けられて、該流通孔６４１が挿入溝６１中のロッド３１の端部開口と連通する。
【００１０】
擦拭具７０は、擦拭具本体７１とコネクタヘッド７２が組み合わされてなり、該擦拭具本体７１の上端中央部に貫通するリーク孔７１１が設けられ、該コネクタヘッド７２の両端が、擦拭具本体７１及び結合ベース６０の枢接ヘッド６４に枢設され、且つコネクタヘッド７２内部に導流孔７２１が形成され、該導流孔７２１が擦拭具本体７１のリーク孔７１１と結合ベース６０の流通孔６４１と連通している。
【００１１】
以上の部品で組成され、洗剤供給式モップが洗剤液送出を開放していない状態の時、該洗剤制御装置４０のバルブロッド４６は完全にバルブカバー４４の収容溝４４４中に収容され密封され、並びに外周の二つのＯリング４４２がバルブカバー４４の内壁と密着し、バルブロッド４６が密閉した洗剤収容室を形成し、缶体５０内部の洗剤液がロッド３１の洗剤流出孔３１５よりバルブカバー４４の貫通孔４４３を通りこの洗剤収容室中に流入して蓄積保存される。洗剤制御装置４０の回転リングスリーブ４１が回されると、連動リング４２が牽引されて前方に移動し（図７、８参照）、さらに連動リング４２により連接スリーブ４７が駆動されて、牽引ロッド４３を押動して前に移動させ、牽引ロッド４３の前頭部４３１の制限を受けたバルブロッド４６の前端が牽制を喪失すると同時に、バネ４５の回復力を受けて同期に前方に移動し、これによりバルブロッド４６外壁前端のＯリング４６１がバルブカバー４４の内壁より離脱し（図９、１０参照）、同時に洗剤収容室中に蓄積された洗剤液がバルブカバー４４前端より放出され、さらに結合ベース６０の流通孔６４１、コネクタヘッド７２の導流孔７２１及び擦拭具本体７１のリーク孔７１１を通り流入し、擦拭具７０に洗剤液を含ませ、これにより掃除作業に供される。この構造により、洗剤供給式モップが簡潔な美観性を具備し、且つ缶体５０の組み付けが強固とされ、また回転リングスリーブ４１がグリップ近くに設けられた設計により、使用操作の便利性が高められ、確実に便利な使用機能を具備するものとされる。
【００１２】
また、上述の柄３０と洗剤制御装置４０は伸縮式の套設形態とされうる。図１１を参照されたい。これは２段式の洗剤制御装置４０の実施例であり、この洗剤制御装置４０は第１と第２の牽引ロッド４３’を具え、第１の牽引ロッド４３’の上端に矢頭状の後頭部４３２’が設けられて、連動リング４２の位置決めピン４２１により固定された連接スリーブ４７と相互に挿嵌連結され、その底端にフック状の連接部４３３’が設けられて連接体４８の上端の孔に挿入結合される。第２の牽引ロッド４３’もまた双矢頭状の後頭部４３２’を具えて連接体４８底端の孔に挿入結合され、該連接体４８が柄３０の末端内部に固定されたスリーブ４９内を移動可能とされ、別端のそれに套設されたロッド３１内部に、下に凹んだ貫通孔を具えたスリーブ４９が固定され、第２の牽引ロッド４３’の末端の後頭部４３２が貫通固定され、これにより洗剤制御装置４０の回転リングスリーブ４１が回される時、連動リング４２が牽引されて前に移動し、これに連動して連接スリーブ４７、第１の牽引ロッド４３’、連接体４８、及び第２の牽引ロッド４３’が動作し、前頭部４３１の位置を制御し、これによりバルブロッド４６とバルブカバー４４間の密封と開閉の状態が制御される。
【００１３】
また、本考案の洗剤供給式モップは各種の擦拭具７０に組み合わされ、該擦拭具７０は各種の擦拭形態とされうる。図４は擦拭具本体７１とコネクタヘッド７２で組成された擦拭具７０の形態とされ、図１２は牽引装置７３、クランプロッド７４、吸水スポンジ７５と固定座７６で組成された形態とされ、並びに結合ベース６０の底端部と擦拭具７０の固定座７６が螺設固定され、缶体５０内の洗剤液が洗剤制御装置４０の操作調節により、吸水スポンジ７５中に送られ、擦拭作業に供される。
【００１４】
【考案の効果】
本考案の洗剤供給式モップは、従来の技術と比較して、以下のような機能を達成できる。
１．洗剤液の調節操作が簡便である。
本考案は洗剤液の開閉制御と流量調整に供される回転リングスリーブが、柄のグリップ近くに設置され、ゆえに擦拭過程で、活発に簡単に手で快速に調整操作が行え、掃除の効率を高めることができる。
２．缶体の取り付けが強固である。
本考案の缶体と柄は、一体貫通被覆設計とされ、缶体が外力の衝突を受けても良好な安定性を保持でき、脱落或いは損壊の現象と発生せず、缶体の使用寿命を確保して洗剤供給機能を発揮させられる。
３．外観が良好である。
本考案の缶体と柄は一体貫通被覆の設計が採用され、これにより全体の外観造形が従来のものに較べて簡潔であり、外観がよい。
【００１５】
総合すると、本考案の洗剤供給式モップは、柄に洗剤液を具えた缶体が取り付けられ、並びに操作により缶体中の洗剤液が擦拭具に送られて擦拭除垢効果を高める構造であり、全体として産業上の利用価値を具え、且つその構造はその出願前に公開されておらず、新規性を有し、ゆえに実用新案登録の要件を具備している。
【図面の簡単な説明】
【図１】周知の第１種のモップの斜視図である。
【図２】周知の第２種のモップの斜視図である。
【図３】周知の第２種のモップの分解斜視図である。
【図４】本考案の斜視図である。
【図５】本考案の分解斜視図である。
【図６】本考案の局部断面側面図である。
【図７】本考案の回転リングスリーブの回転調整動作図である。
【図８】本考案の回転リングスリーブの回転調整動作図である。
【図９】本考案のバルブロッドが回転リングスリーブに連動する動作図である。
【図１０】本考案のバルブロッドが回転リングスリーブに連動する動作図である。
【図１１】本考案を伸縮式柄に応用する時の洗剤制御装置の実施状態表示図である。
【図１２】本考案を洗剤供給式モップのもう一つの実施状態図である。
【符号の説明】
１０　モップ　　　　　　　１１　柄
１２　ベース　　　　　　　１２１　クランプロッド
１３　牽引装置　　　　　　１３１　レバー
１３２　プルロッド　　　　１３３　枢接アーム
１４　吸水スポンジ
２０　モップ　　　　　　　２１　柄
２２　ベース　　　　　　　２２１　クランプロッド
２２２　収容溝　　　　　　２２３　位置決めリング
２２４　リーク孔
２３　牽引装置　　　　　　２３１　枢接アーム
２３２　レバー　　　　　　２３３　プルロッド
２４　吸水スポンジ　　　　２４１　流入口
２５　缶体　　　　　　　　２６　バルブ
３０　柄　　　　　　　　　３１　ロッド
３１１　位置決め環状溝　　３１２　限位溝
３１３　Ｏリング固定溝　　３１４　バルブカバー固定孔
３１５　洗剤流出孔　　　　３１６　ベース固定孔
３２　グリップ
４０　洗剤制御装置　　　　４１　回転リングスリーブ
４２　連動リング　　　　　４２１　位置決めピン
４３、４３’　牽引ロッド　４３１　前頭部
４３２、４３２’　後頭部　４３３’　連接部
４４　バルブカバー　　　　４４１　位置決めピン
４４２　Ｏリング　　　　　４４３　貫通孔
４４４　収容溝
４５　バネ
４６　バルブロッド　　　　４６１　Ｏリング
４７　連接スリーブ　　　　４８　連接体
４９　スリーブ
５０　缶体　　　　　　　　５１　収容空間
５２　シールキャップ　　　５３　注入孔
５４　ナット　　　　　　　５５　貫通孔
６０　結合ベース　　　　　６１　挿入溝
６２　締めネジ　　　　　　６３　結合ピン
６４　枢接ヘッド　　　　　６４１　流通孔
７０　擦拭具
７１　擦拭具本体　　　　　７１１　リーク孔
７２　コネクタヘッド　　　７２１　導流孔
７３　牽引装置　　　　　　７４　クランプロッド
７５　吸水スポンジ　　　　７６　固定座
【図１】
0003097652.tif 000003
【図２】
0003097652.tif 000004
【図３】
0003097652.tif 000005
【図４】
0003097652.tif 000006
【図５】
0003097652.tif 000007
【図６】
0003097652.tif 000008
【図７】
0003097652.tif 000009
【図８】
0003097652.tif 000010
【図９】
0003097652.tif 000011
【図１０】
0003097652.tif 000012
【図１１】
0003097652.tif 000013
【図１２】
0003097652.tif 000014